(57)【要約】【課題】  従来知られている万力方式のフラスコ用クランプ装置が有していたような締付にバラつきが発生し易い問題、また併用形式のフラスコ用クランプ装置が有していたような構成が複雑で高価である問題、用法の容易さに難がある等の問題を解消できる新規なフラスコ用クランプ装置を提供する。【解決手段】  充填済みフラスコ２、３を重ねた状態で載せ置くための台部４を下辺５に有する枠本体６と、該台部４の上に置いた上位の充填済みフラスコ２の上面を押圧するための押圧用バネ部７を上辺８に有する開閉枠９と、該開閉枠９を上記枠本体６に開閉自在に取り付ける蝶番１０と、同開閉枠９を閉じ状態に維持するためのトグルレバー・メカニズム利用のバックル部１１とにより構成されている。【選択図】図２
0003115858.tif 000002
【実用新案登録請求の範囲】
【請求項１】
フラスコの締付状態を維持するのに用いるものであって、フラスコを載せ置くための台部を下辺に有する枠本体と、該台部の上に置いたフラスコの上面を押圧するための押圧用バネ部を上辺に有する開閉枠と、該開閉枠を閉じ状態に維持するためのバックル部とを備えたことを特徴とするフラスコ用クランプ装置。
【請求項２】
前記枠本体は下辺の一端に一方上向辺を有し他端に他方上向辺を有している構成とされ、また前記開閉枠は上辺の一端に一方下向辺を有し他端に他方下向辺を有している構成にされ、さらに上記一方上向辺の上端と上記一方下向辺の下端は蝶番により連結され、また他方上向辺の上端部及び他方下向辺の下端部には掛け外し型バックルの掛具及びその受具が設けられたことを特徴とする請求項１記載のフラスコ用クランプ装置。
【請求項３】
前記押圧用バネ部は、中央部分を上方に湾曲させ両端部分を下方に湾曲させた板バネを備え、該板バネは上記開閉枠の上辺に対して、フラスコ上面の押圧時には中央湾曲部の上面が開閉枠の上辺の下面に圧接し、両端湾曲部の下面がフラスコの上面に圧接する状態に支持されていることを特徴とする請求項１又は２記載のフラスコ用クランプ装置。
【請求項４】
前記掛具はトグルレバーの起伏操作により作動するフック部材を備え、前記受具は同フック部材の引掛部を備え、トグルレバーが倒伏操作されたときにはフック部材が引掛部に係止する方向に作動し、起立操作されたときには外れる方向に作動するようにされ、且つ上記フック部材には外力を受けない限りその状態を維持するための維持部が設けられたことを特徴とする請求項２記載のフラスコ用クランプ装置。
【考案の詳細な説明】
【技術分野】
【０００１】
本考案は、レジン製義歯の製造に使用するフラスコ（flask）用のクランプ装置に関する。
【背景技術】
【０００２】
従前、この種のフラスコ用クランプ装置としては、図６に示すような、螺子棒を使用した万力方式のものが知られている。
【０００３】
この万力方式のフラスコ用クランプ装置１００は、たとえば、同図に示すようなレジン製義歯成形型となるフラスコ１０１に使用される。このフラスコ１０１は、３分割構造であり、上面が開口した下部型枠１０２と、該下部型枠１０２の上に重ねる上・下面が開口した上部型枠１０３と、該上部型枠１０３の上面開口を閉塞する蓋体１０４とにより構成され、また蓋体１０４の中央部の両側には内外方向に貫通する一対の石膏溢出孔１０５が設けられ、さらに上部型枠１０３には下部型枠１０２及び蓋体１０４に設けてある位置合せ孔１０６に嵌合する位置合せピン１０７が設けられている。
【０００４】
そして、上記フラスコ１０１によりレジン製義歯を作成するには、先ず、下部型枠１０２の中に予め用意した鑞材製の雄型１０８の下半部を一段目石膏１０９を充填して埋め込む。この一段目石膏１０９が硬化した後に該一段目石膏１０９の上面に分離液（図示せず）を塗布し、次に、同雄型１０８の突出状態になっている上半部に気泡発生防止のために硬質石膏の石膏泥を二段目石膏１１０として塗布すると共にレジン溜り部形成のためにユーティリティワックス１１１を載置する。そして二段目石膏１１０の硬化の後に該二段目石膏１１０の上面に分離液（図示せず）を塗布する。その後に下部型枠１０２の上に上部型枠１０３を載せると共に該上部型枠１０３に三段目石膏１１２を充填して雄型１０８の上部を埋め込み、蓋体１０４を被せる。このとき石膏溢出孔１０５から溢出した石膏は除去する。
【０００５】
しかるのち、上記石膏充填済みのフラスコ１０１を上記クランプ装置１００にセットして加圧状態にし、この加圧状態で三段目石膏１１２を硬化させる。この硬化後、フラスコ１０１を熱湯に浸漬することにより、雄型１０８の鑞部分を加熱して軟化させる。その後、該フラスコ１０１を開いて上記軟化した鑞を一塊として取り出す。これによりフラスコ１０１内に石膏製の雌型（図示せず）を形成する。
【０００６】
この雌型によりレジン製義歯を製造するには、該雌型内にレジンを充填し、クランプ装置１００で上下方向から挟圧する。このとき、該挟圧により溢出したレジンを除去する。その後、クランプ装置１００を締め直してから温湯若しくは沸騰水による湿熱重合方式、又は電子レンジでマイクロ波を照射する乾熱重合方式により上記レジンを重合させる。よって上記鑞製の雄型と同形状のレジン製義歯を完成する。
【０００７】
しかしながら、上記した万力形式のフラスコ用クランプ装置には、使用者や使用環境により螺子棒の締付にバラつきが発生し易い問題があった。
【０００８】
かかる問題を解消ものとして圧力計及び油圧ポンプを併用する形式が、「特許文献１中、第４図参照」に開示されている。この併用形式のフラスコ用クランプ装置は、油圧ポンプ及び圧力計を作動させて目標とする弾性圧力を得たのちナットを手で締め直し、その後に油圧ポンプによる圧縮力を解除し且つ螺子棒を緩めて取り外すようになっているものであった。
【特許文献１】実開平２−１４１４３０号公報
【考案の開示】
【考案が解決しようとする課題】
【０００９】
すなわち、上記した万力形式のフラスコ用クランプ装置には、螺子棒の締付にバラつきが発生し易い問題があり、また併用形式のフラスコ用クランプ装置には、構成が複雑で高価であり、用法の容易さに難がある等の問題があった。
【００１０】
本考案は、上記したような諸問題点を解決することができる新規のフラスコ用クランプ装置を提供することを目的とする。
【課題を解決するための手段】
【００１１】
上記目的を達成するために、請求項１に係るフラスコ用クランプ装置は、フラスコの締付状態を維持するのに用いるものであって、フラスコを載せ置くための台部を下辺に有する枠本体と、該台部の上に置いたフラスコの上面を押圧するための押圧用バネ部を上辺に有する開閉枠と、該開閉枠を閉じ状態に維持するためのバックル部とを備えたことを特徴とする。
【００１２】
すなわち、請求項１に係るフラスコ用クランプ装置は、開閉枠を開き状態にして台部の上にフラスコを載せたのち開閉枠を閉じてバックル部を係止する要領で容易且つ簡単にフラスコの装填操作ができ、またバックル部の係止を解消して開閉枠を開いてから台部の上のフラスコを取去する要領でフラスコの外し操作が容易且つ簡単にできる。また、上記フラスコが装填状態にされ開閉枠がバックル部により係止されたときには、押圧用バネ部がその固有の弾性による定圧で台部上のフラスコを加圧できる。
【００１３】
したがって、請求項１に係るフラスコ用クランプ装置によれば、上記従来例として述べた万力形式のフラスコ用クランプ装置が有していたような締付にバラつきが発生し易い問題、また併用形式のフラスコ用クランプ装置が有していたような構成が複雑で高価である問題、用法の容易さに難がある等の問題は解消できる。
【００１４】
請求項２に係るフラスコ用クランプ装置は、請求項１記載のフラスコ用クランプ装置にあって、枠本体は下辺の一端に一方上向辺を有し他端に他方上向辺を有している構成にされ、また開閉枠は上辺の一端に一方下向辺を有し他端に他方下向辺を有している構成にされ、さらに上記一方上向辺の上端と上記一方下向辺の下端は蝶番により連結され、また他方上向辺の上端部及び他方下向辺の下端部には掛け外し型バックルの掛具及びその受具が設けられたことを特徴とする。
【００１５】
したがって、請求項２に係るフラスコ用クランプ装置によれば、枠本体及び開閉枠の構成、枠本体と開閉枠の連結構成、枠本体と開閉枠の係止構成が簡略で使い易いフラスコ用クランプ装置を容易且つ廉価に提供できる。
【００１６】
請求項３に係るフラスコ用クランプ装置は、請求項１又は２記載のフラスコ用クランプ装置にあって、押圧用バネ部は、中央部分を上方に湾曲させ両端部分を下方に湾曲させた板バネを備え、該板バネは上記開閉枠の上辺に対して、フラスコの上面の押圧時には中央湾曲部の上面が開閉枠の上辺の下面に圧接し両端湾曲部の下面がフラスコの上面に圧接する状態に支持されていることを特徴とする。
【００１７】
すなわち、上記押圧用バネ部を形成する板バネは、その両端湾曲部の下面がフラスコの上面に圧接して当該フラスコを平均に加圧できる。
【００１８】
請求項４に係るフラスコ用クランプ装置は、請求項２記載のフラスコ用クランプ装置にあって、掛具はトグルレバーの起伏操作により作動するフック部材を備え、受具は同フック部材の引掛部を備え、トグルレバーが倒伏操作されたときにはフック部材が引掛部に係止する方向に作動し、起立操作されたときには外れる方向に作動するようにされ且つ同フック部材には外力を受けない限りその状態を維持するための維持部が設けられたことを特徴とする。
【００１９】
すなわち、請求項４に係るフラスコ用クランプ装置は、トグルレバー・メカニズムを採用してあるので、フック部材の引掛部に対する係止操作及び該係止の解消操作が軽快且つ容易にできる。また、フック部材には外力を受けない限りその状態を維持するための維持部が設けたので、後述するように、開閉枠が板バネの弾性により勢いよく開いてしまう危険な状態を回避できるのみならず該回避後には、板バネの弾性に抗する戻し操作を開閉枠に加えるだけでトグルレバーの倒伏及びフック部材の外しが自動的且つ安全にできる。
【考案の効果】
【００２０】
請求項１に係るフラスコ用クランプ装置によれば、上記したような、締付にバラつきが発生し易い問題、構成が複雑で高価である問題、用法の容易さに難がある等の問題を解消するという所期の目的を完全に達成できる。
【００２１】
また、請求項２に係るフラスコ用クランプ装置によれば、請求項１に係る発明の効果に加え、フラスコ用クランプ装置枠本体及び開閉枠の構成、枠本体と開閉枠の連結構成、枠本体と開閉枠の係止構成が簡略で使い易いフラスコ用クランプ装置を容易且つ廉価に提供できる。
【００２２】
さらに、請求項３に係るフラスコ用クランプ装置によれば、請求項１又は２に係る発明の効果に加え、上記押圧用バネ部を形成する板バネの両端湾曲部の下面がフラスコの上面に圧接して当該フラスコを平均に加圧できるので、結果として、高品質なレジン製義歯成形型用雌型の作成及び同雌型使用によるレジン製義歯の作成ができる。
【００２３】
また、請求項４に係るフラスコ用クランプ装置によれば、請求項１に係る発明の効果に加え、トグルレバー・メカニズムに採用によりフック部材の引掛部に対する係止操作及び該係止の解消操作が軽快且つ容易にできる。しかも、フック部材には外力を受けない限りその状態を維持するための維持部が設けたので、開閉枠が板バネの弾性により勢いよく開いてしまう危険な状態を回避できるのみならず該回避後には、板バネの弾性に抗する戻し操作を開閉枠に加えるだけでトグルレバーの倒伏及びフック部材の外しが自動的且つ安全にできる。 
【考案を実施するための最良の形態】
【００２４】
以下、本考案に係る実施の形態を図１〜図５に基づいて説明する。図１は全体を示す斜視図であり、図２は図１AーA線に沿う断面図であり、図３は図１BーB線に沿う断面図であり、図４は開閉枠を開き状態した同断面図であり、図５は開閉枠を開く途中の状態を示す同断面図である。
【００２５】
この実施の形態に係るフラスコ用クランプ装置１は、上記「背景技術」において述べたと同様の要領を行うことにより得た石膏充填済みのフラスコ若しくはレジン充填済みのフラスコ（以下、充填済みフラスコと記す）２、３を重ねた状態で載せ置くための台部４を下辺５に有する枠本体６と、該台部４の上に置いた上位の充填済みフラスコ２の上面を押圧するための押圧用バネ部７を上辺８に有する開閉枠９と、該開閉枠９を上記枠本体６に開閉自在に取り付ける蝶番１０と、同開閉枠９を閉じ状態に維持するためのバックル部１１とにより構成されている。
【００２６】
上記枠本体６は、下辺５の一端に一方上向辺１２を折設し他端に他方上向辺１３を折設して構成され、また開閉枠９は上辺８の一端に一方下向辺１４を折設し他端に他方下向辺１５を折設して構成されている。これら枠本体６、開閉枠９は、その各辺の両側縁に補強縁１６、１７を内側に折り立てて断面をコの字状にすることにより充分な強度を得るようにしてある。また上記一方上向辺１２の上端と一方下向辺１４の下端とを蝶番１０により連結して枠本体６に対して開閉枠９を開閉自在に取付けると共に上記他方上向辺１３の上端部内には、開閉枠９が閉じ状態にされたときに他方下向辺１５の先端部内面に嵌合して同開閉枠９の横ズレを阻止する一対の小片１８が止着されている。
【００２７】
また、上記台部４は、載せ板部１９の一方縁及び他方縁に下向きの脚板２１を折設し、これら各脚板２１の下縁の中間位置に一対の深い切込２２を切設することにより構成されたものであり、該切込２２と上記下辺５の補強縁１６、１７とを嵌合することで枠本体６に組み着けたり、抜き外して分解したりできるようにしてある。したがって、包装、格納、搬送等の際は適宜分解して小さくでき、省スペース化、搬送費の節約等を可能にしてある。なお、本考案は上記台部４をビス止や溶接で下辺５に固定する方式等で実施することは自由である。
【００２８】
また、上記押圧用バネ部７は、中央部を上方に湾曲させ、両端部分を下方に湾曲させた波型の板バネ２４を備え、該板バネ２４は開閉枠９の上辺８に対して支持部材２５により、充填済みフラスコ２、３の押圧時には中央湾曲部２６の上面が開閉枠９の上辺８の内面に圧接し両端湾曲部２７，２８の下面が上位の充填済みフラスコ２の上面に圧接する状態に支持されている。なお、この板バネ２４の支持は、上記中央湾曲部２６の中間の下面に形成された半円形凹溝２９と支持部材２５の嵌合及び同中央湾曲部２６の両側の上面に固定された当り部材３０，３１の存在により、自由に動くことができるが抜落はしないようにされている。該板バネ２４の支持は、抜落せずに自由に動く形式の他の手段で実施することができる。
【００２９】
さらに、バックル部１１は、掛具３３及び受具３４からなり、掛け外し型である。掛具３３は上記他方上向辺１３の上端部の外面に固定され、受具３４は上記他方下向辺１５の下端部の外面に固定されている。
【００３０】
上記掛具３３は、軸承部材３５とトグルレバー３６と該トグルレバー３６の起伏操作により作動するフック部材３７とから構成され、そしてトグルレバー３６の基端は第１軸３８により軸承部材３５に支承され、フック部材３７の基端はトグルレバー３６の基端寄り個所に第２軸３９により支承されている。また、受具３４は、軸承部材４０と該軸承部材４０内に横架された引掛軸４１とから構成されている。
【００３１】
上記掛具３３は、トグルレバー３６が倒伏操作されたときにはフック部材３７が引掛軸４１に係止する方向に作動し、同トグルレバー３６が起立操作されたときには外れる方向に作動するようにされ、且つ同フック部材３７の支承部には次に説明するような、外力を受けない限りその状態を維持するための維持部４２が設けられている。
【００３２】
この維持部４２は、トグルレバー３６の側面壁４３、４４の内面とフック部材３７の側面壁４５，４６の外面との間に一対のスプリングワッシャ４７、４８を上記第２軸３９に挿し通した状態で挟入することにより構成され、該スプリングワッシャ４７，４８とトグルレバー３６の側面壁４３，４４の内面及びフック部材３７の側面壁４５，４６の外面との摩擦力で維持機能を発揮するようにされている。なお、この維持部４２は、フック部材３７が外力を受けない限りそのまま状態を維持するようにする手段であればよく、適宜の他の手段で実施することができる。
【００３３】
なお、本考案は、図に示すように、温湯若しくは沸騰水による処理作業や、場所移動作業を施す等のときに使用するための取っ手４９を開閉枠９の上面等に設けることができる。かかる取っ手４９は、上記使用の場合、特に温湯若しくは沸騰水で処理する場合には、該取っ手４９に吊下げ用フックを引っ掛けて作業したり、紐を予め結び着けておいてこれを持って作業したりするような使い方、すなわち温湯若しくは沸騰水により熱くなった取っ手４９に直に触れない使い方を可能にするものであって、安全性の確保に好適である。
【００３４】
すなわち、上記実施の形態に係るフラスコ用クランプ装置１は、たとえばフラスコ内に石膏製の雌型を形成する用途、及びレジンを重合させて鑞製の雄型と同形状のレジン製義歯を完成する用途に使用できるように構成されたものである。
【００３５】
次いで、上記実施の形態に係るフラスコ用クランプ装置１を用いて２個の充填済みフラスコ２，３に温湯処理等を施す場合に行う、充填済みフラスコ２，３の装填手順及びその外し手順について説明する。
【００３６】
すなわち、フラスコ用クランプ装置１に充填フラスコ２、３を装填するには、先ず開閉枠９を開き状態にしてから台部４の上に二個の充填済みフラスコ２，３を載せたのち開閉枠９を閉じ方向に回転させて閉じる。しかし、この閉じ操作の場合、板バネ２４の両端湾曲部２７，２８が上位の充填フラスコ２の上面に当接して開閉枠９を僅かに開いた状態で止まるようになっているので、そこで、開閉枠９を一方の手で押し下げて全閉状態にしつつ他方の手指を使ってフック部材３７の鉤部３７aを引掛軸４１に掛け止めると共にそのまま同他方の手指をトグルレバー３６の方に移動して当該トグルレバー３６を倒伏状態にすることで掛具３３と受具３４を掛け止め状態にする。よってフラスコ２，３を板バネ２４の弾性により加圧された状態に装填する。この装填完了後に熱湯等に浸漬して温湯処理を施す。
【００３７】
また、上記温湯処理後の充填フラスコ２を上記フラスコ用クランプ装置１から外すには、先ずトグルレバー３６に起立操作を加える。この場合、トグルレバー３６の起立動作に伴って開閉枠９が板バネ２４の弾性により開き方向に作動し始めると共に掛け止め状態になっている引掛軸４１及びフック部材３７の鉤部３７aを引き上げる。するとフック部材３７全体が引き上げられてトグルレバー３６を起し方向に回転させる動作を始めるが、その直後に両者が互いに邪魔をする関係になってロック状態になり、上記開閉枠９の開き方向作動を停止させる。すなわち、開閉枠９が板バネ２４の弾性により勢いよく開いてしまう危険な状態を回避できる。そして、この回避後に板バネ２４の弾性に抗する戻し操作を開閉枠９に加えて引掛軸４１をフック部材３７の鉤部３７a内から脱する方向に移動させる。すると僅かに戻したところで引掛軸４１が上記鉤部３７a内から脱し、トグルレバー３６及びフック部材３７が上記維持部４２による維持機能で一体状態すなわちトグルレバー３６とフック部材３７が上記ロック状態の角度を維持したままの一体状態でトグルレバー３６が自重により倒伏の方向に回転してフック部材３７が外し状態になる。このようにトグルレバー３６が倒伏状態になり且つフック部材３７が外し状態になったところで開閉枠９を全開の状態にして充填フラスコ２、３を抜き外す。
【図面の簡単な説明】
【００３８】
【図１】全体を示す斜視図である。
【図２】図１AーA線に沿う断面図である
【図３】図１BーB線に沿う断面図である。
【図４】開閉枠を開き状態した同断面図である。
【図５】開閉枠を開く途中の状態を示す同断面図である。
【図６】従来例を示す断面図である。
【符号の説明】
【００３９】
１  実施の形態に係るフラスコ用クランプ装置
２、３  充填済みフラスコ
４  台部
５  下辺
６  枠本体
７  押圧用バネ部
８  上辺
９  開閉枠
１０  蝶番
１１  バックル部
１２  一方上向辺
１３  他方上向辺
１４  一方下向辺
１５  他方下向辺
１６、１７  補強縁
１８  小片
１９  載せ板部
２１  脚板
２２  切込
２４  板バネ
２５  支持部材
２６  中央湾曲部
２７、２８  両端湾曲部
２９  半円形凹溝
３０、３１  当り部材
３３  掛具
３４  受具
３５  軸承部材
３６  トグルレバー
３７  フック部材
３７a  鉤部
３８  第１軸
３９  第２軸
４０  軸承部材
４１  引掛軸
４２  維持部
４３、４４  側面壁
４５、４６  側面壁
４７、４８  スプリングワッシャ
４９  取っ手
１００フラスコ用クランプ装置
１０１フラスコ
１０２下部型枠
１０３上部型枠
１０４蓋体
１０５石膏溢出孔
１０６位置合せ孔
１０７位置合せピン
１０８雄型
１０９一段目石膏
１１０二段目石膏
１１１ユーティリティワックス
１１２三段目石膏
【図１】
0003115858.tif 000003
【図２】
0003115858.tif 000004
【図３】
0003115858.tif 000005
【図４】
0003115858.tif 000006
【図５】
0003115858.tif 000007
【図６】
0003115858.tif 000008